(57)【要約】【課題】生産効率の低下を抑制できるワイヤハーネスを提供する。【解決手段】  ワイヤハーネス１は、複数の電線４と当該電線４の一方の端末に取り付けられた絶縁体ブロック５とを備えた複数のサブハーネス２ａ，２ｂ，２ｃと、複数のサブハーネス２ａ，２ｂ，２ｃの絶縁体ブロック５同士が合体して得られた合体ブロック３と、を備えている。各サブハーネス２ａ，２ｂ，２ｃの複数の電線４が互いに平行となり、かつ複数のサブハーネス２ａ，２ｂ，２ｃ同士が前記合体ブロック３から互いに異なる方向に延在した格好となっている。【選択図】図１
2010000878.tif 000002
【特許請求の範囲】
【請求項１】
複数の電線と、当該電線の一方の端末に取り付けられた絶縁体ブロックと、を備えた複数のサブハーネスと、
前記複数のサブハーネスの前記絶縁体ブロック同士が合体して得られた合体ブロックと、を備えたワイヤハーネスにおいて、
前記各サブハーネスの複数の電線が互いに平行となり、かつ、複数のサブハーネス同士が前記合体ブロックから互いに異なる方向に延在した格好となっていることを特徴とするワイヤハーネス。
【発明の詳細な説明】
【技術分野】
【０００１】
本発明は、自動車などの移動体に配索されるワイヤハーネスに関する。
【背景技術】
【０００２】
移動体としての自動車は、搭載される種々のランプや種々のモータなどの電子機器にバッテリなどの電源から電力を供給するためにワイヤハーネス１００（図１１に例示し、例えば、特許文献１参照）が配索されている。この特許文献１などに示されたワイヤハーネス１００は、複数のサブハーネス１０１が互いに組みつけられるなどして得られる。サブハーネス１０１は、図１１に示すように、複数の電線１０２と、これら複数の電線１０２に取り付けられた絶縁体ブロック１０３と、を備えている。
【０００３】
ワイヤハーネス１００は、布線板にサブハーネス１０１が順次配索され、サブハーネス１０１の絶縁体ブロック１０３が互いに組み付けられて、組み立てられる。なお、サブハーネス１０１が布線板に配索される際には、絶縁体ブロック１０３を中心として、電線１０２が当該絶縁体ブロック１０３から放射方向に延在した格好で配索される。
【特許文献１】特開２００５−２１２７２６号公報
【発明の開示】
【発明が解決しようとする課題】
【０００４】
前述した従来のワイヤハーネス１００は、サブハーネス１０１が絶縁体ブロック１０３から放射方向に電線１０２が延在した格好で布線板に配索されるので、各サブハーネス１０１を布線板に配索して、組み立てる際に、作業員が付線板の左右方向に反復して移動する必要があった。このため、サブハーネス１０１を布線板に配索する際にかかる手間や所要時間が長時間化する傾向があった。そして、従来のワイヤハーネス１００は、生産効率が低下する傾向であった。
【０００５】
したがって、本発明の目的は、生産効率の低下を抑制できるワイヤハーネスを提供することにある。
【課題を解決するための手段】
【０００６】
前記課題を解決し目的を達成するために、本発明のワイヤハーネスは、複数の電線と、当該電線の一方の端末に取り付けられた絶縁体ブロックと、を備えた複数のサブハーネスと、前記複数のサブハーネスの前記絶縁体ブロック同士が合体して得られた合体ブロックと、を備えたワイヤハーネスにおいて、前記各サブハーネスの複数の電線が互いに平行となり、かつ、複数のサブハーネス同士が前記合体ブロックから互いに異なる方向に延在した格好となっていることを特徴としている。
【０００７】
本発明によれば、各サブハーネスを構成する複数の電線が互いに平行な状態で、かつ複数のサブハーネスが合体ブロックから互いに異なる方向に放射状に延在した格好となっている。このため、各サブハーネスを構成する電線が合体ブロック即ち絶縁体ブロックから互いに異なる方向に延在することがない。したがって、布線板に複数のサブハーネスを配索する際に、例えば、作業員が当該布線板の左側から右側に移動するように、一方向に移動するだけで、複数のサブハーネスを順に布線板に配索することができる。
【発明の効果】
【０００８】
以上説明したように本発明は、布線板に複数のサブハーネスを配索する際に、例えば、作業員が当該布線板の左側から右側に移動するように、一方向に移動するだけで、複数のサブハーネスを順に布線板に配索することができる。このために、サブハーネスを布線板に配索する際にかかる手間や所要時間が長時間化することを防止でき、よって、ワイヤハーネスの生産効率が低下することを防止できる。
【発明を実施するための最良の形態】
【０００９】
以下、本発明の一実施形態にかかるワイヤハーネス１を、図１ないし図１０を参照して説明する。図１に示されたワイヤハーネス１は、移動体としての自動車などに配索されて、前記自動車に搭載される種々のランプや種々のモータなどの電子機器にバッテリなどの電源から供給される電力を供給する。
【００１０】
ワイヤハーネス１は、図１に示すように、複数のサブハーネス２と、一つの合体ブロックと、を備えている。
【００１１】
サブハーネス２は、図示例では、三つ設けられている。サブハーネス２は、複数（図示例では、三本）の電線４と、一つの絶縁体ブロック５とを備えている。なお、並べられて配置された絶縁体ブロック５のうち図１中左側から順に配置された絶縁体ブロック５を有したサブハーネス２を以下、順に、符号２ａ，２ｂ，２ｃで示す。電線４は、それぞれ、導体などからなる芯線と、この芯線を覆う絶縁材料などからなる被覆部と、を備えたいわゆる被覆電線となっている。これら電線４の一方の端末には、板金などからなる図示しない端子金具が取り付けられている。
【００１２】
絶縁体ブロック５は、絶縁性の合成樹脂で構成され、かつ筒状に形成されている。絶縁体ブロック５は、端子金具を収容して、前記電線４の一方の端末に取り付けられている。
【００１３】
合体ブロック３は、図２に示すように、アウタハウジング６と、前述した各サブハーネス２ａ，２ｂ，２ｃの絶縁体ブロック５と、図示しない複数の接続部材とを備えている。アウタハウジング６は、絶縁性の合成樹脂で構成され、箱状に形成されている。絶縁体ブロック５は、アウタハウジング６内に収容されて、当該アウタハウジング６に固定される。
【００１４】
絶縁体ブロック５は、アウタハウジング６内に収容されると、互いに合体する。接続部材は、アウタハウジング６に取り付けられて、このアウタハウジング６内に収容された絶縁体ブロック５の所定の端子金具同士を電気的に接続する。合体ブロック３は、接続部材を取り付けたアウタハウジング６内に絶縁体ブロック５を収容し、このアウタハウジング６内で絶縁体ブロック５同士が互いに合体するとともに、接続部材が絶縁体ブロック５の所定の端子金具同士を接続して、得られる。
【００１５】
前述したワイヤハーネス１は、各サブハーネス２ａ，２ｂ，２ｃの複数の電線４が互いに平行となり、かつ、複数のサブハーネス２ａ，２ｂ，２ｃ同士が合体ブロック３から互いに異なる方向に延在した格好で、前述した自動車に配索される。
【００１６】
前述した構成のワイヤハーネス１は、図３に示す布線板１０などを用いて、前述したサブハーネス２ａ，２ｂ，２ｃ同士が互いに組みつけられて、組み立てられる。布線板１０は、板状に形成されている。布線板１０は、例えば、レールなどによって工場のフロア上を無端走行するようになっていたり、自律走行型の台車などに支持されて、前記工場のフロア上を予め定められたパターンに沿って走行するようになっている。
【００１７】
布線板１０の表面には、前述した合体ブロック３や、各サブハーネス２ａ，２ｂ，２ｃの電線４の配索パターンなどが描かれている。布線板１０には、図３に示すように、前記配索パターンにしたがって、前記サブハーネス２ａ，２ｂ，２ｃを支持するための結き具１１が複数設けられている。結き具１１は、それぞれ、布線板１０から立設しており、前記サブハーネス２ａ，２ｂ，２ｃの電線４を結くことができる。さらに、布線板１０には、図３に示すように、合体ブロック３のアウタハウジング６を保持するための保持治具１２が設けられている。
【００１８】
前述した構成の布線板１０を用いて、サブハーネス２ａ，２ｂ，２ｃ同士を組み付けて、ワイヤハーネス１を組み立てる工程の一例を以下に示す。まず、図４に示すように、保持治具１２に接続部材を取り付けたアウタハウジング６を保持する。
【００１９】
そして、サブハーネス２ａの電線４の他方の端末を最も図５中左側に位置する結き具１１に結わいて、作業員が布線板１０の図５中の左側から順に右側に移動しながら、他方の端末から一方の端末に向かって電線４を順に配索パターン上に配索して、一方の端末を結き具１１に結わいた後、図５に示すように、絶縁体ブロック５をアウタハウジング６内に収容する。
【００２０】
さらに、作業員が、布線板１０の図５中の左側から順に右側に移動しながら、図６に示すように、サブハーネス２ｂの絶縁体ブロック５をアウタハウジング６内に収容した後、図７に示すように、当該サブハーネス２ｂの電線４の一方の端末を結き具１１に結わく。サブハーネス２ｃの絶縁体ブロック５をアウタハウジング６内に収容して、当該サブハーネス２ｃの電線４の一方の端末を結き具１１に結わく。すると、絶縁体ブロック５同士が合体するとともに、接続部材が絶縁体ブロック５の端子金具同士を互いに電気的に接続する。
【００２１】
その後、作業員が、更に布線板１０の図７中の左側から順に右側に移動しながら、サブハーネス２ｂ，２ｃの電線４を配索パターンにしたがって配索する。そして、作業員が、更に布線板１０の図８中の左側から順に右側に移動しながら、図８に示すように、サブハーネス２ｃの電線４を結き具１１に一方の端末側から他方の端末側に向かって順に結わく。
【００２２】
そして、作業員が、更に布線板１０の図８中の左側から順に右側に移動しながら、図９に示すように、サブハーネス２ｂの電線４の他方の端末を結き具１１に結わいた後、図１０に示すように、サブハーネス２ｃの電線４の他方の端末を結き具１１に結わく。こうして、サブハーネス２ａ，２ｂ，２ｃ同士を組み付ける。さらに、電線４の所定箇所の外周にテープを巻きつけたり、プロテクタやグロメットなどの外装品を取り付けるなどして、ワイヤハーネス１を組み立てる。
【００２３】
本実施形態によれば、各サブハーネス２ａ，２ｂ，２ｃを構成する複数の電線４が互いに平行な状態で、かつ複数のサブハーネス２ａ，２ｂ，２ｃが合体ブロック３から互いに異なる方向に放射状に延在した格好となっている。このため、各サブハーネス２ａ，２ｂ，２ｃを構成する電線４が合体ブロック３即ち絶縁体ブロック５から互いに異なる方向に延在することがない。したがって、布線板１０に複数のサブハーネス２ａ，２ｂ，２ｃを配索する際に、例えば、作業員が当該布線板１０の左側から右側に移動するように、一方向に移動するだけで、複数のサブハーネス２ａ，２ｂ，２ｃを順に布線板１０に配索することができる。このために、サブハーネス２ａ，２ｂ，２ｃを布線板１０に配索する際にかかる手間や所要時間が長時間化することを防止でき、よって、ワイヤハーネス１の生産効率が低下することを防止できる。
【００２４】
前述した実施形態では、作業員が、付線板１０の左側から右側に順に移動しながら、ワイヤハーネス１を組み立てている。しかしながら、本発明では、左側から右側に向かう移動に限らず、一方向のみに作業員が移動しながら組み立てるのであれば、任意の方向に移動しながら勿論組み立てて良い。
【００２５】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００２６】
【図１】本発明の一実施形態にかかるワイヤハーネスの構成を模式的に示す平面図である。
【図２】図１に示されたワイヤハーネスの合体ブロックの構成を模式的に示す平面図である。
【図３】図１に示されたワイヤハーネスを組み立てる際に用いられる布線板の構成を模式的に示す平面図である。
【図４】図３に示された付線板に合体ブロックのアウタハウジングを取り付けた状態を模式的に示す平面図である。
【図５】図４に示された布線板に一つのサブハーネスを配索した状態を模式的に示す平面図である。
【図６】図５に示された布線板の他のサブハーネスの絶縁体ブロックを取り付けた状態を模式的に示す平面図である。
【図７】図６に示された布線板の別の他のサブハーネスの絶縁体ブロックを取り付けた状態を模式的に示す平面図である。
【図８】図７に示された別の他のサブハーネスの電線を結き具に結わいた状態を模式的に示す平面図である。
【図９】図８に示された布線板に他のサブハーネスを配索した状態を模式的に示す平面図である。
【図１０】図９に示された布線板に別の他のサブハーネスを配索した状態を模式的に示す平面図である。
【図１１】従来のワイヤハーネスの構成を模式的に示す平面図である。
【符号の説明】
【００２７】
１  ワイヤハーネス
２，２ａ，２ｂ，２ｃ  サブハーネス
３  合体ブロック
４  電線
５  絶縁体ブロック
【図１】
2010000878.tif 000003
【図２】
2010000878.tif 000004
【図３】
2010000878.tif 000005
【図４】
2010000878.tif 000006
【図５】
2010000878.tif 000007
【図６】
2010000878.tif 000008
【図７】
2010000878.tif 000009
【図８】
2010000878.tif 000010
【図９】
2010000878.tif 000011
【図１０】
2010000878.tif 000012
【図１１】
2010000878.tif 000013